(57)【要約】【課題】  広告番組を積極的に視聴者に提供するテレビ放送受信装置、及びその広告番組表示方法を提供する。【解決手段】  契約先の放送局（契約局）から入手したＩＣカード２５に記憶された契約内容を主記憶装置にロードする。スタンバイ時には、契約広告受信時間になったら受信部１４により契約局から送られる特定の種類の契約広告を受信し、補助記憶装置２２に蓄積するとともに、その旨を第２の表示装置１９により告知する。契約広告受信時間以外にテレビ番組を表示したときには、第１の表示装置１８の表示画面にウインドウを起動し、補助記憶装置２２に蓄積されている契約広告を強制的に表示する。契約広告受信時間内にテレビ番組を表示したときには、それが契約局又はその他の局の放送であるかの如何によらず、第１又は第２のチューナ１２，１３のいずれかによって契約広告を受信し、第１の表示装置１８にウインドウを起動し、そこにリアルタイムで表示する。【選択図】      図３
2011010372.tif 000002
【特許請求の範囲】
【請求項１】
放送されたテレビ番組と広告番組とを受信し表示するテレビ放送受信装置において、
放送された広告番組を受信する受信手段と、
前記広告番組の受信契約時刻を設定する設定手段と、
この設定手段に設定されている受信契約時刻によって特定された所定時間内に、前記受信手段により受信された広告番組の内容である広告データを記憶する記憶手段と、
この記憶手段に記憶されている広告データに基づき広告番組を表示する表示手段と
を備えたことを特徴とするテレビ放送受信装置。
【請求項２】
前記記憶手段に、前記表示手段により未だ広告番組が表示されていない広告データが記憶されていることを報知する報知手段を備えたことを特徴とする請求項１記載のテレビ放送受信装置。
【請求項３】
前記表示手段は、使用者による所定の表示操作に応答し、前記記憶手段に記憶された広告データに基づく広告番組を表示することを特徴とする請求項１又は２記載のテレビ放送受信装置。
【請求項４】
前記所定の表示操作は、テレビ番組を表示させるための操作であることを特徴とする請求項３記載のテレビ放送受信装置。
【請求項５】
前記記憶手段に記憶されている広告データに基づく広告番組が前記表示手段によって行われたとき、その後の前記表示手段による広告番組の表示動作を禁止する禁止手段を備えたことを特徴とする請求項３又は４記載のテレビ放送受信装置。
【請求項６】
前記表示手段による広告番組の表示時間を計測する計時手段を備え、前記禁止手段は、その計時手段により計測された表示時間に応じた長さの時間だけ、前記表示手段による広告番組の表示動作を禁止することを特徴とする請求項５記載のテレビ放送受信装置。
【請求項７】
前記表示手段による広告番組の表示動作と非表示動作とを選択する選択手段を備え、前記禁止手段は、前記選択手段による前記表示手段における広告番組の非表示動作の選択を許可することにより前記表示手段による広告番組の表示動作を禁止することを特徴とする請求項５又は６記載のテレビ放送受信装置。
【請求項８】
前記設定手段は、広告番組の受信契約種別を設定する手段を含み、前記記憶手段は、前記設定手段に設定されている受信契約種別の広告番組の広告データのみを記憶することを特徴とする請求項１乃至７いずれか記載のテレビ放送受信装置。
【請求項９】
前記受信契約時刻によって特定される時間内に特定の放送局により放送されたテレビ番組を表示しているとき、前記表示手段に、前記受信手段により受信された前記特定の放送局により放送された広告番組を強制表示させ、かつ前記記憶手段における当該広告番組の内容である広告データの記憶動作を停止させる制御手段を備えたことを特徴とする請求項１乃至８いずれか記載のテレビ放送受信装置。
【請求項１０】
前記受信手段とは別に、放送されたテレビ番組を受信する他の受信手段と、
この他の受信手段が、前記受信契約時刻によって特定される時間内に、前記受信手段が受信する広告番組を放送している特定の放送局とは異なる放送局により放送されたテレビ番組を受信しているとき、前記表示手段に、前記受信手段により受信された前記特定の放送局により放送された広告番組を強制表示させ、かつ前記記憶手段における当該広告番組の内容である広告データの記憶動作を停止させる制御手段を備えたことを特徴とする請求項１乃至８いずれか記載のテレビ放送受信装置。
【請求項１１】
前記設定手段は、広告番組の受信契約種別を設定する手段を含み、前記制御手段は、前記設定手段に設定されている受信契約種別の広告番組のみを前記表示手段に強制表示させることを特徴とする請求項９又は１０記載のテレビ放送受信装置。
【請求項１２】
前記受信手段は、本放送を利用して放送されたテレビ番組とデータ放送を利用して放送された広告番組とを受信し、前記表示手段は、前記受信手段により受信されたテレビ番組と広告番組とを同時に表示することを特徴とする請求項１乃至１１いずれか記載のテレビ放送受信装置。
【請求項１３】
デジタル信号を用いたデータ放送による番組を受信し表示可能なテレビ放送受信装置であって、
前記番組の表示状態と非表示状態とを選択する選択手段と、
前記番組が広告番組であるとき、前記選択手段による非表示状態の選択を禁止する禁止手段と
を備えたことを特徴とするテレビ放送受信装置。
【請求項１４】
前記禁止手段は、前記番組が特定の放送局により放送された広告番組であるとき、前記選択手段による非表示状態の選択を禁止することを特徴とする請求項１３記載のテレビ放送受信装置。
【請求項１５】
前記禁止手段は、前記番組が特定コードを付加されている広告番組であるとき、前記選択手段による非表示状態の選択を禁止することを特徴とする請求項１３又は１４記載のテレビ放送受信装置。
【請求項１６】
前記データ放送による広告番組を受信し表示した時間を計測する計時手段と、
この計時手段により計測された表示時間に応じた長さの時間だけ、前記選択手段による前記データ放送による広告番組の非表示状態の選択を許可する制御手段と
を備えたことを特徴とする請求項１３，１４又は１５記載のテレビ放送受信装置。
【請求項１７】
放送されたテレビ番組と広告番組とを受信し表示するテレビ放送受信装置における広告番組の表示方法において、
広告番組の受信契約時刻によって特定された所定時間内に、広告番組の内容である広告データを予め受信記憶し、それ以後に、予め受信記憶した広告データに基づき広告番組を表示することを特徴とする広告番組表示方法。
【発明の詳細な説明】
【技術分野】
【０００１】
本発明は、テレビ放送受信装置、及びその広告番組表示方法に関する。
【背景技術】
【０００２】
現在、テレビジョン放送には、地上波放送、ＢＳ及びＣＳを用いた衛星放送、ケーブル放送等がある。これらの放送は、それが民間放送による場合には、放送しているテレビ番組の受信が有料または無料を問わず、テレビ番組の合間若しくは途中に、画像、音声からなる広告番組（コマーシャル番組）が挿入されて放送されている。また、これらのテレビジョン放送を受信するテレビ放送受信機では、送られた放送内容を送られた順序で忠実に再生するよう構成されている。
【発明の概要】
【発明が解決しようとする課題】
【０００３】
しかしながら、従来のテレビ放送受信機では、送られた放送内容を送られた順序で忠実に再生するため、視聴者は必然的に次のテレビ番組が始まるまでの間、又はあるテレビ番組の途中に広告番組を視聴することとなる。このため、例えばテレビ番組が広告番組に切り替わった時点で視聴者がチャンネルを替えた場合には、テレビ番組を提供しているスポンサー企業等（放送局側）は、広告番組の内容すなわちコマーシャルを視聴者に送る目的を達成することができない。
【０００４】
つまり従来のテレビ放送受信機では、広告番組が不特定多数に送られるものであっても、それを消極的な広告活動の域を脱するものにはできなかった。
【０００５】
本発明は、かかる従来の課題に鑑みてなされたものであり、広告番組を積極的に視聴者に提供することが可能となるテレビ放送受信装置、及びその広告番組表示方法を提供することを目的とする。
【課題を解決するための手段】
【０００６】
前記課題を解決するために請求項１の発明にあっては、放送されたテレビ番組と広告番組とを受信し表示するテレビ放送受信装置において、放送された広告番組を受信する受信手段と、前記広告番組の受信契約時刻を設定する設定手段と、この設定手段に設定されている受信契約時刻によって特定された所定時間内に、前記受信手段により受信された広告番組の内容である広告データを記憶する記憶手段と、この記憶手段に記憶されている広告データに基づき広告番組を表示する表示手段とを備えたものとした。
【０００７】
かかる構成においては、設定手段に設定されている受信契約時刻によって特定された所定時間内に、受信した広告番組の内容である広告データを予め記憶し、それ以後に、予め記憶した広告データに基づき広告番組を表示することができる。したがって、テレビ番組を視聴していない時間帯に放送されている広告番組を、視聴者に視聴させることができる。
【０００８】
また、請求項２の発明にあっては、前記記憶手段に、前記再生手段により未だ広告番組が表示されていない広告データが記憶されていることを報知する報知手段を備えたものとした。したがって、視聴者に、未視聴の広告番組の存在を確実に知らせることができる。
【０００９】
また、請求項３の発明にあっては、前記表示手段は、使用者による所定の表示操作に応答し、前記記憶手段に記憶された広告データに基づく広告番組を表示するものとした。かかる構成においては、使用者による所定の表示操作を待って広告番組を表示させることができ、記憶しておいた広告番組をより確実に視聴させることができる。
【００１０】
また、請求項４の発明にあっては、前記所定の表示操作は、テレビ番組を表示させるための操作であるものとした。かかる構成においては、使用者がテレビ番組を視聴するとき、記憶しておいた広告番組が表示される。したがって、記憶しておいた広告番組をより一層確実に視聴させることができる。
【００１１】
また、請求項５の発明にあっては、前記記憶手段に記憶されている全ての広告データに基づく広告番組が前記表示手段によって既に行われたとき、その後の前記表示手段による広告番組の表示動作を禁止する禁止手段を備えたものとした。かかる構成においては、記憶しておいた広告番組を複数回、つまり必要以上に表示することがなく、利便性が向上する。
【００１２】
また、請求項６の発明にあっては、前記表示手段による広告番組の表示時間を計測する計時手段を備え、前記禁止手段は、その計時手段により計測された表示時間に応じた長さの時間だけ、前記表示手段による広告番組の表示動作を禁止するものとした。かかる構成においては、広告番組をより長い時間視聴した視聴者に対してより大きな便宜を図ることができる。
【００１３】
また、請求項７の発明にあっては、前記表示手段による広告番組の表示動作と非表示動作とを選択する選択手段を備え、前記禁止手段は、前記選択手段による前記表示手段における広告番組の非表示動作の選択を許可することにより前記表示手段による広告番組の表示動作を禁止するものとした。かかる構成においても、記憶しておいた広告番組を複数回、つまり必要以上に表示することがなく、利便性が向上する。
【００１４】
また、請求項８の発明にあっては、前記設定手段は、広告番組の受信契約種別を設定する手段を含み、前記記憶手段は、前記設定手段に設定されている受信契約種別の広告番組の広告データのみを記憶するものとした。かかる構成においては、テレビ番組を視聴していない時間帯に放送されている、設定手段に設定されている受信契約種別の広告番組、例えば視聴者の興味に応じた広告番組を、視聴者に視聴させることができる。したがって、効率的な広告活動が可能となる。
【００１５】
また、請求項９の発明にあっては、前記受信契約時刻によって特定される時間内に特定の放送局により放送されたテレビ番組を表示しているとき、前記表示手段に、前記受信手段により受信された前記特定の放送局により放送された広告番組を強制表示させ、かつ前記記憶手段における当該広告番組の内容である広告データの記憶動作を停止させる制御手段を備えたものとした。かかる構成において、特定の放送局による広告番組がリアルタイムで視聴されているときには、その記憶動作が停止される。したがって、無駄な記憶動作をなくすことができ、記憶手段の有効利用が可能となる。
【００１６】
また、請求項１０の発明にあっては、前記受信手段とは別に、放送されたテレビ番組を受信する他の受信手段と、この他の受信手段が、前記受信契約時刻によって特定される時間内に、前記受信手段が受信する広告番組を放送している特定の放送局とは異なる放送局により放送されたテレビ番組を受信しているとき、前記表示手段に、前記受信手段により受信された前記特定の放送局により放送された広告番組を強制表示させ、かつ前記記憶手段における当該広告番組の内容である広告データの記憶動作を停止させる制御手段を備えたものとした。かかる構成においては、放送局を問わず視聴者がいずれかのテレビ番組を視聴しているときには、特定の放送局による広告番組を常にリアルタイムで表示でき、それを確実に視聴させることができる。同時に広告番組の無駄な記憶動作をなくすことができ記憶手段の有効利用が可能となる。
【００１７】
また、請求項１１の発明にあっては、前記設定手段は、広告番組の受信契約種別を設定する手段を含み、前記制御手段は、前記設定手段に設定されている受信契約種別の広告番組のみを前記表示手段に強制表示させるものとした。かかる構成においては、特定の広告番組、例えば視聴者の興味に応じた広告番組を、その放送中にリアルタイムで視聴させることができる。したがって、効率的に広告活動が可能となる。
【００１８】
また、請求項１２の発明にあっては、前記受信手段は、本放送を利用して放送されたテレビ番組とデータ放送を利用して放送された広告番組とを受信し、前記表示手段は、前記受信手段により受信されたテレビ番組と広告番組とを同時に表示するものとした。
【００１９】
また、請求項１３の発明にあっては、デジタル信号を用いたデータ放送による番組を受信し表示可能なテレビ放送受信装置であって、前記番組の表示状態と非表示状態とを選択する選択手段と、前記番組が広告番組であるとき、前記選択手段による非表示状態の選択を禁止する禁止手段とを備えたものとした。かかる構成においては、広告番組を確実に視聴させることができる。
【００２０】
また、請求項１４の発明にあっては、前記禁止手段は、前記番組が特定の放送局により放送された広告番組であるとき、前記選択手段による非表示状態の選択を禁止するものとした。かかる構成においては、特定の広告番組、例えば視聴者の興味に応じた広告番組を確実に視聴させることができる。したがって、効率的に広告活動が可能となる。
【００２１】
また、請求項１５の発明にあっては、前記禁止手段は、前記番組が特定コードを付加されている広告番組であるとき、前記選択手段による非表示状態の選択を禁止するものとした。かかる構成においては、付加する特定コードによって、確実に視聴させる広告番組を区別することできる。したがって、より効率的に広告活動が可能となる。
【００２２】
また、請求項１６の発明にあっては、前記データ放送による広告番組を受信し表示した時間を計測する計時手段と、この計時手段により計測された表示時間に応じた長さの時間だけ、前記選択手段による前記データ放送による広告番組の非表示状態の選択を許可する制御手段とを備えたものとした。かかる構成においては、広告番組をより長い時間視聴した視聴者に対してより大きな便宜を図ることができる。
【００２３】
また、請求項１７の発明にあっては、放送されたテレビ番組と広告番組とを受信し表示するテレビ放送受信装置における広告番組の表示方法において、広告番組の受信契約時刻によって特定された所定時間内に、広告番組の内容である広告データを予め受信記憶し、それ以後に、予め受信記憶した広告データに基づき広告番組を表示するものとした。かかる方法においては、テレビ番組を視聴していない時間帯に放送されている広告番組を、視聴者に視聴させることができる。したがって、テレビ番組を視聴していない時間帯に放送されている広告番組を、視聴者に視聴させることができる。
【発明の効果】
【００２４】
以上説明したように本発明においては、テレビ番組を視聴していない時間帯に放送されている広告番組を、視聴者に視聴させることができるようにした。よって、広告番組を積極的に視聴者に提供することが可能となる。同時に、使用者にあっては、例えば視聴したくとも出来ないような時間帯だけに放送されている広告番組であっても、それを視聴することが可能となる。また、視聴者に、未視聴の広告番組の存在を確実に知らせたり、使用者がテレビ番組を視聴するとき等に、記憶しておいた広告番組を表示させたりするようにしたことから、記憶しておいた広告番組をより確実に視聴させることができ、広告番組のより積極的な提供が可能となる。また、記憶しておいた広告番組を必要以上に表示させないようにしたことから、利便性を向上させることができる。また、広告番組をより長い時間視聴した視聴者に対してより大きな便宜を図ることができる。また、例えば視聴者の興味に応じた特定の広告番組を、視聴者に視聴させることができ、効率的な広告活動が可能となる。
【００２５】
また、特定の放送局による広告番組がリアルタイムで視聴されているときには、その記憶動作を停止させることができるため、無駄な記憶動作をなくすことができ、記憶手段の有効利用が可能となる。また、放送局を問わず視聴者がいずれかのテレビ番組を視聴しているときには、特定の放送局による広告番組を常にリアルタイムで表示でき、それを確実に視聴させることができる。これによっても、広告番組のより積極的な提供が可能となる。また、その場合においても、利便性を向上させたり、広告番組をより長い時間視聴した視聴者に対してより大きな便宜を図ることができるとともに、視聴者の興味に応じた特定の広告番組を視聴させることにより、効率的な広告活動が可能となる。
【００２６】
また、広告番組をデータ放送で放送するものにおいても、広告番組を確実に視聴させることができるとともに、広告番組をより長い時間視聴した視聴者に対してより大きな便宜を図ることができる。また、視聴者の興味に応じた特定の広告番組を視聴させることにより、効率的な広告活動が可能となる。
【図面の簡単な説明】
【００２７】
【図１】本発明の一実施の形態に係るデジタルテレビ放送受信装置を示す図である。
【図２】データ放送によって送られるコマーシャルデータの構造を示す概念図である。
【図３】デジタルテレビ放送受信装置の構成を示すブロック図である。
【図４】補助記憶装置に格納されるデータの概念図である。
【図５】ＩＣカードに記憶されている契約時間帯データを示す概念図である。
【図６】同ＩＣカードに記憶されている契約広告データを示す概念図である。
【図７】ＣＰＵによるデジタルテレビ放送受信装置の制御手順を示すフローチャートである。
【図８】ＣＰＵによるオフタイム表示処理に係る制御手順を示すフローチャートである。
【図９】ＣＰＵによるリアルタイム表示処理に係る制御手順を示すフローチャートである。
【図１０】図１０に続くフローチャートである。
【図１１】（ａ）、（ｂ）は、第１の表示装置の表示画面例である。
【発明を実施するための形態】
【００２８】
以下、本発明の一実施の形態を図にしたがって説明する。図１は、本発明に係るデジタルテレビ放送受信装置（以下、受信装置）１と放送局１００からなる放送システムを示す図である。
【００２９】
受信装置１は、放送局１００から送られてくるデジタルテレビ放送を受信する。受信装置１の前面にはテレビ番組や広告番組等を表示するモニタ２が設けられ、その側部には、後述する告知表示を行うＬＥＤ３と、電源をオンオフするための電源スイッチ４が配設されている。なお、受信装置１は、デジタルテレビ放送を受信する受信装置に限定されず、アナログテレビ放送、ＢＳ及びＣＳを用いた衛星放送、ケーブル放送等を受信可能な受信装置でもよい。本実施の形態において、デジタルテレビ放送は、テレビ番組を放送する本放送と広告番組のみを専用に放送するデータ放送とからなり、受信装置１では、使用者が必要に応じて、データ放送により提供される広告番組の表示、非表示を切り替えることができるようになっている。また、前記データ放送では、図２に示すようにカテゴリーコード１１０と企業広告データ１１１とが対となったコマーシャルデータ（広告データ）１１２が連続して送られるものであり、かつ企業広告データ１１１がＭＰＥＧ２形式で圧縮された圧縮データであるものとする。
【００３０】
図３は、受信装置１の構成を示すブロック図である。受信装置１は、アンテナ１１を介してデジタルのテレビ放送電波を受信する本発明の受信手段である第１及び第２のチューナ１２，１３を有する受信部１４と、装置全体を制御するＣＰＵ１５、映像デコーダ１６、音声デコーダ１７、前記モニタ２を含む第１の表示装置１８、前記ＬＥＤ３を含む第２の表示装置１９、オーディオアンプやスピーカー等を含む音声出力装置２０、ＣＰＵ１５による受信装置１の基本的な制御に必要な制御プログラムが格納された主記憶装置２１、補助記憶装置２２を有している。
【００３１】
また、受信装置１は、使用者が選局や広告番組の表示、非表示の切替えを行うための各種のキーを含み、操作に応じた操作信号をＣＰＵ１５へ送る操作キー部２３、現在時刻をカウントするとともに本発明の計時手段として動作するタイマー機能を有した時計部２４、着脱自在なＩＣカード２５からデータを取り込むためのカードＩ／Ｆ２６、リモコンユニット２７から送られた操作信号を受信するためのリモコンＩ／Ｆ２８、受信装置１を電話回線を介して他の機器に接続するためのモデム２９、デジタルＶＣＲ等の各種デジタル機器との間で映像、音声等のデジタルデータを送受信するためのデジタルインターフェイス３０、受信装置１の各部へ電源を供給する電源装置３１を有している。
【００３２】
ＣＰＵ１５は、前記プログラムに基づき動作することにより、本発明の禁止手段、制御手段として機能し、また、前記操作キー部２３と共に選択手段を実現する。また、ＣＰＵ１５は、データ放送の受信に際して、受信部１４から送出されたトランスポートストリーム信号をＭＰＥＧ２システム（オーディオ、ビデオのストリームフォーマット）に則り映像信号と音声信号とに振り分け、映像デコーダ１６と音声デコーダ１７に送る。映像デコーダ１６は圧縮されたビデオデータを復号化し第１の表示装置１８へ送り、音声デコーダ１７は圧縮されたオーディオデータを復号化し音声出力装置２０へ送る。補助記憶装置２２は本発明の記憶手段であって、主としてデータ放送の受信により取得された所定のコマーシャルデータ１１２の記憶に使用する比較的容量の大きな記憶装置、例えばハードディスクであって、図４に示すように、前記コマーシャルデータ１１２と共に契約広告視聴時間１２０、非表示許容時間１２１の各データを記憶するための記憶領域が確保されている。
【００３３】
前記ＩＣカード２５は、視聴者が放送局との間で企業広告を視聴する旨の受信契約を結ぶことによって放送局側から入手するものであり、ＩＣカード２５には、受信契約の内容に応じた広告表示を受信装置１に行わせるための広告表示用制御プログラム、受信契約の内容を示す契約時間帯データ１３１（図５）及び契約広告データ１３２（図６）が記録されている。図５は契約時間帯データ１３１の内容を示した図である。このデータは、受信契約の内容のうち、契約先の放送局（以下、契約局）から送られる広告番組を自動的に受信する時間帯を示す設定データであって、各時間帯と、時間帯毎に受信の許可／不許可の別を示すデータにより構成されている。なお、本実施の形態では深夜の３時台〜５時台が設定されている。図６は契約広告データ１３２の内容を示した図である。このデータは、受信契約の内容のうち、契約局から自動的に受信する広告番組（以下、契約広告）を示す設定データであり、広告番組の種別（種類）と、それを識別するための前述したカテゴリーコード１１０と、広告番組の種別毎に受信の許可／不許可の別を示すデータにより構成されている。なお、本実施の形態では自動車関係、コンピュータ関係、家電製品関係の各企業の広告番組が契約広告として設定されている。
【００３４】
そして、受信装置１においては、視聴者がＩＣカード２５をカードＩ／Ｆ２６に挿入し、リモコンユニット２７あるいは操作キー部２３により所定の操作を行い、前述した各データを主記憶装置２１にロードする事前設定を行うことにより、契約局の放送番組が視聴できるようになっている。なお、かかる事前設定は、ＩＣカード２５を用いることなく、前述した各データを放送局側から電話回線を介して受信することによっても可能である。また、受信装置１においては、視聴者が上記の事前設定を行い電源を切るとスタンバイ状態に入り、その状態下でも、電源装置３１から時計部２４及びＣＰＵ１５への通電は行われるようになっている。
【００３５】
次に、上記の事前設定が行われた後における受信装置１の動作を図７〜図１０のフローチャートに従い説明する。なお、以下の説明では、視聴者が放送局側と結んだ契約の内容が、ＩＣカード２５に記憶されている前述した内容であるものとする。
【００３６】
また、図７〜図１０のフローチャートにおいて、使用者が操作キー部２３を操作してデータ放送の表示、非表示を切り替える際の、ウインドウＡを起動して広告番組を表示するステップ及びウインドウＡをクローズするステップは省略してあるものとする。図７は、ＣＰＵ１５による本発明に係る広告番組の表示に関する制御を示す図であって、ＣＰＵ１５は、時計部２４から送られた時刻情報に基づき、現在時刻が、設定された契約広告の受信開始時間であるか否かを常時確認している（ステップＳＡ１）。受信開始時間になる以前においては（ステップＳＡ１でＮＯ）、受信装置１がスタンバイ状態であれば、そのままステップＳＡ１へ戻り（ステップＳＡ２でＮＯ）、スタンバイ状態でない、つまり電源がＯＮされた状態であってテレビ番組が視聴中であるときには（ステップＳＡ２でＮＯ）、後述するオフタイム表示処理に移行する（ステップＳＡ３）。また、受信開始時刻が到来したときには（ステップＳＡ１でＹＥＳ）、番組が視聴中であれば（ステップＳＡ４でＮＯ）、後述するリアルタイム表示処理に移行し（ステップＳＡ５）、スタンバイ状態であれば（ステップＳＡ４でＹＥＳ）、ステップＳＡ６以下の契約広告の蓄積処理を行う。
【００３７】
（タイマー受信処理）
タイマー受信処理において、ＣＰＵ１５は、まず本体の電源をオンとするとともに、第１の表示装置１８を除く前述した各部への通電を行った後（ステップＳＡ６）、第１のチューナ１２によって契約局のチューニングを行い（ステップＳＡ７）、データ放送、つまり広告放送の受信を開始する（ステップＳＡ８）。引き続き、受信した広告番組のカテゴリーコード１１０が、事前設定により設定されているカテゴリーコードと一致するか否かを判別し（ステップＳＡ９）、それが一致していれば、その広告番組つまり契約広告のデータ（コマーシャルデータ）を補助記憶装置２２に記憶（蓄積）するとともに（ステップＳＡ１０）、第２の表示装置１９による告知を開始する（ステップＳＡ１１）。なお、本実施の形態ではＬＥＤを点灯させる。また、受信した広告番組が契約広告でなければ（ステップＳＡ９でＮＯ）、何もしない。そして、契約広告受信時間が終了するまで上記の処理を繰り返し行い、契約広告受信時間が終了したら（ステップＳＡ１２）、本体の電源をオフして受信装置１をスタンバイ状態に戻す（ステップＳＡ１３）。
【００３８】
これにより、深夜の３時台〜５時台に視聴者によって電源が投入されスタンバイ状態が解除されなければ、その時間帯、つまり使用者がテレビ番組を視聴していない確率が高かったり、視聴したくとも出来ない時間帯に放送局から送られてくる自動車関係、コンピュータ関係、家電製品関係の各企業の広告番組のコマーシャルデータの全てを自動的に補助記憶装置２２に蓄積することができる。また、前記告知表示を行うことにより、使用者に契約広告が記憶されていることを確実に伝えるとともに、それを後述するように視聴させることができる。
【００３９】
（オフタイム表示処理）
次に、前述した契約広告の受信時間以外に、視聴者がテレビ番組を視聴しているとき（ステップＳＡ１，ＳＡ２が共にＮＯ）、実行される前述したオフタイム表示処理を図８のフローチャートに従い説明する。
【００４０】
かかるオフタイム表示処理においては、まず、視聴者が未だ見ていない契約広告が補助記憶装置２２に蓄積された状態であって、それを第２の表示装置１９によって告知しているか否かを判別する（ステップＳＢ１）。ここで、視聴者が未だ見ていない契約広告が蓄積されているときには、視聴中の放送局が契約局で、かつデータ放送の表示機能がオン状態となっていれば（ステップＳＢ２，ＳＢ３が共にＹＥＳ）、補助記憶装置２２からコマーシャルデータを読み出すとともに、図１１（ａ）に示すように第１の表示装置１８（モニター２）の画面上に既に起動されているデータ放送表示用のウインドウＡに、リアルタイム表示されている広告に代えて蓄積しておいた契約広告を表示する（ステップＳＢ４）。
【００４１】
また、視聴中の放送局が契約局であっても、データ放送の表示機能がオフ状態であった場合（ステップＳＢ２がＹＥＳ、ステップＳＢ３がＮＯ）、及び視聴中の放送局が契約局以外で、かつデータ放送の表示機能がオフ状態であった場合には（ステップＳＢ２，ＳＢ６が共にＮＯ）、図１１（ａ）に示すように第１の表示装置１８の画面上に新たにウインドウＡを起動し（ステップＳＢ５）、そこに前記契約広告を表示する（ステップＳＢ４）。さらに、視聴中の放送局が契約局以外であって、しかもデータ放送の表示機能がオン状態であって図１１（ａ）に示すようなウインドウＡに契約局以外のデータ放送（広告）が表示されている場合には（ステップＳＢ２がＮＯ，ＳＢ６がＹＥＳ）、図１１（ａ）に示すように第１の表示装置１８の画面上に起動しているウインドウＡの領域を図１１（ｂ）に示すように半分に縮小するとともに加えて新たにウインドウＢを起動し、そこに前記契約広告を表示する（ステップＳＢ４）。
【００４２】
したがって、使用者が、契約局のテレビ番組と他局のテレビ番組との別を問わず、いずれかのテレビ番組を視聴するときには、使用者がテレビ番組を視聴していない確率が高い深夜（３時台〜５時台）に放送している広告番組を視聴者に確実に視聴させることができる。よって、契約局側においては、広告番組を積極的に視聴者に提供することができる。他方、使用者にあっては、例えば視聴したくとも出来ない深夜だけに放送されている広告番組であっても、それを視聴することができる。
【００４３】
なお、図示しないが、このように補助記憶装置２２から読み出し表示したコマーシャルデータには、補助記憶装置２２内において視聴済を示すフラグを付加することにより、未だ表示されていない他のコマーシャルデータと区別して管理する。また、読み出したコマーシャルデータを表示するときには、それに合わせて読み出したコマーシャルデータの表示時間をカウントする。
【００４４】
引き続き、補助記憶装置２２に蓄積されている全てのコマーシャルデータの表示が完了していれば（ステップＳＢ８でＹＥＳ）、第２の表示装置１９における告知表示を解除するとともに（ステップＳＢ９）、ステップＳＢ５又はＳＢ７でウインドウＡ又はＢを起動することにより契約広告を表示している場合は、図１１（ａ）のウインドウＡ又は図１１（ｂ）のウインドウＢを閉じることにより契約広告表示前の表示状態に戻し、また、そうでない場合は、図１１（ａ）のウインドウＡに表示している契約広告をリアルタイム表示される広告に代えることにより契約広告表示前の表示状態に戻す（ステップＳＢ１０）。なお、ステップＳＢ８において補助記憶装置２２に蓄積されている全てのコマーシャルデータの表示の完了が検出された際に、後述する非表示許容時間１２１の減算処理および契約広告の非表示処理（つまり、契約広告表示前の表示状態）が続行されている場合は、既に契約広告表示前の表示状態になっているので非表示許容時間１２１の減算処理を停止する処理のみを行うことになる。これにより、記憶しておいた広告番組を複数回、つまり必要以上に表示することが防止できる。そして、契約広告の表示中にカウントしておいた表示時間を、補助記憶装置２２内の所定領域に記憶されている契約広告視聴時間１２０（図４参照）に加算して更新した後（ステップＳＢ１１）、図７のメインルーチンに戻る。
【００４５】
また、補助記憶装置２２に蓄積されている全てのコマーシャルデータの表示が完了していない間に（ステップＳＢ８でＮＯ）、視聴者が所定のキー操作により契約広告の非表示を選択したときには（ステップＳＢ１２でＹＥＳ）、許可時間に残りがあるか否かを判別する（ステップＳＢ１３）。この許可時間は、補助記憶装置２２に記憶されている非表示許容時間１２１（図４参照）であって、視聴者が契約広告を非表示（強制的に解除）することができる時間である。また、この時間は、前記契約広告視聴時間１２０の長さに応じて増減される。つまり、契約広告視聴時間１２０が増える毎に加算され、かつ契約広告の非表示が実行される毎に減算される。そして、ステップＳＢ１３の判別結果がＮＯであって前記許可時間に残りがない場合、あるいは契約広告の非表示が選択されていないときには（ステップＳＢ１２でＮＯ）、前述したステップＳＢ８へ戻る。これにより、契約広告の表示を続行する。
【００４６】
また、前記許可時間に残りがあれば（ステップＳＢ１３でＹＥＳ）、契約広告を非表示つまり契約広告を表示しているウインドウを閉じるか表示切替えするかして契約広告表示前の表示状態に戻した後ステップＳＢ８へ戻り、その後、ステップＳＢ８で蓄積データの表示完了が判断されるか、ステップＳＢ１２で契約広告の表示が選択されるか、ステップＳＢ１３で許可時間の残りがなくなったと判断されるまで、契約広告の表示時間のカウントの停止処理、非表示許容時間１２１の減算処理および契約広告の非表示処理（つまり、契約広告表示前の表示状態）が続行される。つまり、視聴者が契約広告の非表示を選択した場合においては、前記許可時間に残りがある間だけ契約広告を非表示とすることができる。したがって、契約広告をより長い時間視聴した視聴者に対する利便性を向上させるとともに、その時間に応じてより大きな便宜を図ることができる。
【００４７】
なお、本実施の形態では、便宜的に契約広告表示前の表示状態が存在するものとして説明したが、実際は、図７のステップＳＡ２でスタンバイ状態でないことが検出される、つまり電源がオンされたことが検出されると、直ちにステップＳＢ４による契約広告の表示状態に移行することになる。
【００４８】
（リアルタイム表示処理）
次に、図７のメインルーチンにおいて、設定されている契約広告の受信時間内に、視聴者がテレビ番組を視聴しているとき（ステップＳＡ１がＹＥＳ、ＳＡ４がＮＯ）、実行される前述したリアルタイム表示処理を図９のフローチャートに従い説明する。
【００４９】
かかるリアルタイム表示処理においては、その時点で視聴中の放送局が契約局であるか否かを判別し（ステップＳＣ１）、視聴中の放送局が契約局であったときには、さらに、契約局から送られている広告番組のカテゴリーコード１１０が、事前設定により設定されているカテゴリーコードと一致するか否か、すなわち受信した広告番組が契約広告であるか否かを判別する（ステップＳＣ１１）。一致している場合には、データ放送の表示機能がオン状態となっているか、あるいはデータ放送の表示機能がオフ状態であっても前回の広告番組が契約広告番組であれば（ステップＳＣ１２がＹＥＳ）、図１１（ａ）に示すように第１の表示装置１８の画面上に既に起動されているデータ放送表示用のウインドウＡに契約広告を表示するとともに、第２の表示装置１９における告知表示、及び契約広告の表示時間のカウントを開始する（ステップＳＣ６）。また、データ放送の表示機能がオン状態となっておらず、且つ前回の広告番組が契約広告番組でなければ（ステップＳＣ１２がＮＯ）、図１１（ａ）に示すように第１の表示装置１８の画面上にデータ放送表示用のウインドウＡを起動した後（ステップＳＣ１３）、契約広告を表示するとともに、第２の表示装置１９における告知表示、及び契約広告の表示時間のカウントを開始する（ステップＳＣ６）。なお、このとき、既に契約広告の表示を行っている場合には、そのままの状態が維持され、告知の表示のみ開始される。
【００５０】
また、契約局を視聴中であっても、契約局から送られている広告番組が契約広告でなかったときには（ステップＳＣ１でＹＥＳ、ステップＳＣ１１でＮＯ）、図１０に示した以下の処理に進み、データ放送の表示機能がオン状態であるか否かを判別する（ステップＳＣ１４）。そして、表示機能がオン状態でなければ、そのままリアルタイム表示処理をいったん抜けて、図７のメインルーチンに戻る。なお、前回の広告番組が契約広告番組である場合は、ウインドウＡが起動している状態なのでウインドウＡを閉じる処理が必要となる。また、表示機能がオン状態であったときには（ステップＳＣ１４でＹＥＳ）、図１１（ａ）に示すようなウインドウＡに、契約局から受信した、契約内容に含まれていない家電製品関係の企業の広告番組等の契約外広告を表示する（ステップＳＣ１５）。その後、今回の契約外広告の表示が終了するか、あるいは表示機能がオフ状態とされるまで、今回の契約外広告の表示を続行するとともに（ステップＳＣ１６でＮＯ）、今回の契約外広告の表示が終了すると、図７のメインルーチンに戻り、表示機能がオフ状態とされたら、前記ウインドウＡを閉じ（ステップＳＣ１７）、図７のメインルーチンに戻る。
【００５１】
一方、図９に戻って、ステップＳＣ１の判別結果がＮＯであって、視聴中の放送局が契約局以外であったときには、第２のチューナ１３によって契約局のチューニングを行い、データ放送（広告放送）を受信した後（ステップＳＣ２）、データ放送の表示機能がオン状態であるか否かを判別する（ステップＳＣ３）。ここで、表示機能がオン状態でなければステップＳＣ１１へ進み、前述と同様に広告番組のカテゴリーコード１１０が一致していれば、第１の表示装置にウインドウＡを起動し、受信した契約広告を表示する。また、データ放送の表示機能がオン状態であったときには（ステップＳＣ３でＹＥＳ）、ステップＳＣ２で受信した広告番組が契約広告であるか否かを判別する（ステップＳＣ４）。契約広告であれば、図１１（ａ）に示すように第１の表示装置１８の画面上に起動しており、且つ第１のチューナ１２によって契約局以外の選択局から受信した広告番組が表示されていたウインドウＡの領域を図１１（ｂ）に示すように半分に縮小するとともに、加えて新たなウインドウＢを起動し（ステップＳＣ５）、そこに契約広告を表示するとともに、第２の表示装置１９における告知表示、及び契約広告の表示時間のカウントを開始する（ステップＳＣ６）。なお、既に図１１（ｂ）に示すような表示状態になっている場合は、ステップＳＣ６の処理を行う必要はない。
【００５２】
したがって、視聴者が契約局またはそれ以外の選択局を問わずいずれかのテレビ番組を視聴しているときには、契約広告を常にリアルタイムで表示でき、それを確実に視聴させることができる。これによっても、放送局側では、広告番組を積極的に提供することができる。
【００５３】
また、ステップＳＣ４の判別結果がＮＯであって、図１１（ａ）に示すように選択局から受信した広告番組を表示している状態で、第２のチューナ１３によって受信した契約局の広告番組が契約外広告であったときには、ステップＳＣ１８へ進み、表示機能がオフ状態とされたか否か判別する。表示機能がオフ状態とされなければ、そのまま図１１（ａ）に示すような選択局から受信した広告の表示を継続しつつ図７のメインルーチンに戻るとともに、前述した処理により表示を続行する。また、表示機能がオフ状態とされたら（ステップＳＣ１８でＹＥＳ）、前記ウインドウＡを閉じた後（ステップＳＣ１９）、図７のメインルーチンに戻る。なお、図１１（ｂ）に示すような表示状態で、第２のチューナ１３によって受信した契約局の広告番組が契約外広告であったときには、ステップＳＣ１８へ進む前に図１１（ａ）に示す表示状態に切り替える処理が必要になる。
【００５４】
引き続き、前述したステップＳＣ６の処理によって、第１の表示装置１８の画面上に図１１（ａ）、図１１（ｂ）のように契約広告を表示した後には、契約広告受信時間が終了したか否かを判別し、その時間が終了していたら（ステップＳＣ７でＹＥＳ）、まず契約広告を表示しているウインドウＡ又はＢを閉じることにより契約広告表示前の表示状態に戻す（ステップＳＣ８）。次に、第２の表示装置１９における告知表示を解除し（ステップＳＣ９）、それまでの契約広告の表示中にカウントしておいた表示時間を、補助記憶装置２２内の前記契約広告視聴時間１２０に加算した後（ステップＳＣ１０）、図７のメインルーチンに戻る。
【００５５】
また、契約広告受信時間が終了する以前には（ステップＳＣ７でＮＯ）、視聴者が所定のキー操作により契約広告の非表示が選択されたか否かを判別する（ステップＳＣ２０）。そして、非表示が選択されていない場合、及び非表示が選択されていても前述した許可時間（非表示許容時間１２１）に残りがなかった場合、及びカテゴリーコードが一致した契約広告の表示が終了していない場合には（ステップＳＣ２０、ステップＳＣ２１、ステップＳＣ２３のいずれかがＮＯ）、前述したステップＳＣ７に戻る。これにより、リアルタイムで受信している契約広告の表示を続行する。また、契約広告の非表示が選択されたとき、前記許可時間に残りがあれば（ステップＳＣ２０、ステップＳＣ２１が共にＹＥＳ）、契約広告を非表示つまり契約広告を表示しているウインドウを閉じるか表示切替えするかして契約広告表示前の表示状態に戻した後（ステップＳＣ２２）、ステップＳＣ７に戻る。つまり、リアルタイムで契約広告を表示しているときにおいても、視聴者が契約広告の非表示を選択した場合には、前記許可時間に残りがある間だけ契約広告を非表示とすることができる。
【００５６】
その後、ステップＳＣ７で契約広告の受信時間の終了が判断されるか、ステップＳＣ２０で契約広告の表示が選択されるか、ステップＳＣ２１で許可時間の残りがなくなったと判断されるか、ステップＳＣ２３でカテゴリーコードが一致した契約広告の表示が終了したと判断されるまで、契約広告の表示時間のカウントの停止処理、非表示許容時間１２１の減算処理および契約広告の非表示処理（つまり、契約広告表示前の表示状態）が続行される。
【００５７】
そして、以上説明したタイマー受信処理、オフタイム表示処理、リアルタイム表示処理の実行途中で視聴者によって電源がオンオフされたり、視聴中に放送局が変更されたりして、受信装置１の動作状態に変更があった場合、ＣＵＰ１５は、その時点で直ちにステップＳＡ１へ戻り、変更後の状態に即した処理を行う。
【００５８】
ここで、以上説明した本実施の形態においては、上記のリアルタイム表示処理では契約広告を記憶させることなく表示のみ行わせるようにしたことから、補助記憶措置２２にコマーシャルデータが無駄に記憶されることがなく、補助記憶措置２２の記憶容量を有効に活用することができる。また、タイマー受信処理によって契約時間帯に記憶しておき、それ以外の時間帯にオフタイム表示処理で表示させたり、リアルタイム表示処理で実際の放送中に表示する契約広告にあっては、その種類を限定しているため、その種類を契約時に視聴者の興味に応じて設定しておくことにより、広告効率を上げることができる。なお、本実施の形態では、広告番組の種類として企業の業種が設定されている場合を示したが、当然の如くこれ以外の他のカテゴリーで広告番組を種類分けしても構わない。
【００５９】
また、本実施の形態では、第２の表示装置１９としてＬＥＤを用い、これを本発明の報知手段として使用者に契約広告が記憶されていることを知らせるようにしたが、例えば第２の表示装置１９が小型のＬＣＤ等を備えたものであれば、単なる告知機能のみならず、契約広告（企業広告）やデータ放送の内容全般を表示したりすることができる。さらには、第２の表示装置１９側にテレビ番組を表示させるとともに第１の表示装置１８側に契約広告等を表示させることも可能である。また、第１の表示装置１８側にＯＳＤ機能を確保すれば、リアルタイム表示処理の実行途中においては、第１の表示装置１８側に前記告知機能を持たせることができる。
【００６０】
また、本実施の形態では、データ放送を広告番組のみを専用に放送するものとしたが、データ放送として放送する複数種類の番組の１つとして広告番組を放送するようにしてもよい。
【００６１】
また、広告番組がテレビ番組とは別にデジタルテレビ放送電波で送られてくる環境で使用するデジタルテレビ放送受信装置１について説明したが、これ以外にも本発明は、テレビ番組と広告番組とが識別可能であれば、テレビ番組の合間に広告番組が挿入されたデジタルテレビ放送、さらにはアナログテレビ放送を受信する受信装置にも採用することができる。また、その場合であっても、広告番組の種別を識別することができれば、本実施の形態のように特定の種類の広告番組だけを記録及び表示することができる。
【符号の説明】
【００６２】
１  デジタルテレビ放送受信装置
１４  受信部
１５  ＣＰＵ
１６  映像デコーダ
１７  音声デコーダ
１９  第２の表示装置
２０  音声出力装置
２１  主記憶装置
２２  補助記憶装置
２３  操作キー部
２４  時計部
２５  ＩＣカード
１２  第１のチューナ
１３  第２のチューナ
１１２  コマーシャルデータ
１３１  契約時間帯データ
１３２  契約広告データ
【図１】
2011010372.tif 000003
【図２】
2011010372.tif 000004
【図３】
2011010372.tif 000005
【図４】
2011010372.tif 000006
【図５】
2011010372.tif 000007
【図６】
2011010372.tif 000008
【図７】
2011010372.tif 000009
【図８】
2011010372.tif 000010
【図９】
2011010372.tif 000011
【図１０】
2011010372.tif 000012
【図１１】
2011010372.tif 000013
【手続補正書】
【提出日】平成22年11月5日(2010.11.5)
【手続補正１】
【補正対象書類名】明細書
【補正対象項目名】０００６
【補正方法】変更
【補正の内容】
【０００６】
前記課題を解決するために請求項１の発明にあっては、デジタル信号を用いたデータ放送による番組を受信し表示可能なテレビ放送受信装置であって、前記番組の表示状態と非表示状態とを選択する選択手段と、前記番組が広告番組であるとき、前記選択手段による非表示状態の選択を禁止する禁止手段とを備えたことを特徴とする。
【手続補正２】
【補正対象書類名】明細書
【補正対象項目名】０００７
【補正方法】変更
【補正の内容】
【０００７】
また、請求項２の発明にあっては更に、前記禁止手段は、前記番組が特定の放送局により放送された広告番組であるとき、前記選択手段による非表示状態の選択を禁止することを特徴とする。
【手続補正３】
【補正対象書類名】明細書
【補正対象項目名】０００８
【補正方法】変更
【補正の内容】
【０００８】
また、請求項３の発明にあっては更に、前記禁止手段は、前記番組が特定コードを付加されている広告番組であるとき、前記選択手段による非表示状態の選択を禁止することを特徴とする。
【手続補正４】
【補正対象書類名】明細書
【補正対象項目名】０００９
【補正方法】変更
【補正の内容】
【０００９】
また、請求項４の発明にあっては更に、前記選択手段による前記データ放送による広告番組の非表示状態の選択を所定時間だけ許可する制御手段を備えたことを特徴とする。
【手続補正５】
【補正対象書類名】明細書
【補正対象項目名】００１０
【補正方法】変更
【補正の内容】
【００１０】
また、請求項５の発明にあっては更に、前記データ放送による広告番組を受信し表示した時間を計測する計時手段と、前記制御手段は、前記計時手段により計測された表示時間に応じた長さの時間だけ、前記選択手段による前記データ放送による広告番組の非表示状態の選択を許可することを特徴とする。
【手続補正６】
【補正対象書類名】明細書
【補正対象項目名】００１１
【補正方法】変更
【補正の内容】
【００１１】
また、請求項６の発明にあっては更に、デジタル信号を用いたデータ放送による番組を受信し表示可能なテレビ放送受信装置における広告番組の表示方法において、前記番組の表示状態と非表示状態とを選択する選択ステップと、前記番組が広告番組であるとき、前記選択ステップによる非表示状態の選択を禁止する禁止ステップとを有することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
以上説明したように本発明においては、広告番組をデータ放送で放送するものにおいても、広告番組を確実に視聴させることができるとともに、広告番組をより長い時間視聴した視聴者に対してより大きな便宜を図ることができる。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
【図１】本発明の一実施の形態に係るデジタルテレビ放送受信装置を示す図である。
【図２】データ放送によって送られるコマーシャルデータの構造を示す概念図である。
【図３】デジタルテレビ放送受信装置の構成を示すブロック図である。
【図４】補助記憶装置に格納されるデータの概念図である。
【図５】ＩＣカードに記憶されている契約時間帯データを示す概念図である。
【図６】同ＩＣカードに記憶されている契約広告データを示す概念図である。
【図７】ＣＰＵによるデジタルテレビ放送受信装置の制御手順を示すフローチャートである。
【図８】ＣＰＵによるオフタイム表示処理に係る制御手順を示すフローチャートである。
【図９】ＣＰＵによるリアルタイム表示処理に係る制御手順を示すフローチャートである。
【図１０】図９に続くフローチャートである。
【図１１】（ａ）、（ｂ）は、第１の表示装置の表示画面例である。
【手続補正２３】
【補正対象書類名】特許請求の範囲
【補正対象項目名】全文
【補正方法】変更
【補正の内容】
【特許請求の範囲】
【請求項１】
デジタル信号を用いたデータ放送による番組を受信し表示可能なテレビ放送受信装置であって、
前記番組の表示状態と非表示状態とを選択する選択手段と、
前記番組が広告番組であるとき、前記選択手段による非表示状態の選択を禁止する禁止手段と
を備えたことを特徴とするテレビ放送受信装置。
【請求項２】
前記禁止手段は、前記番組が特定の放送局により放送された広告番組であるとき、前記選択手段による非表示状態の選択を禁止することを特徴とする請求項１記載のテレビ放送受信装置。
【請求項３】
前記禁止手段は、前記番組が特定コードを付加されている広告番組であるとき、前記選択手段による非表示状態の選択を禁止することを特徴とする請求項１又は２記載のテレビ放送受信装置。
【請求項４】
前記選択手段による前記データ放送による広告番組の非表示状態の選択を所定時間だけ許可する制御手段を備えたことを特徴とする請求項１乃至３のいずれかに記載のテレビ放送受信装置。
【請求項５】
前記データ放送による広告番組を受信し表示した時間を計測する計時手段と、
前記制御手段は、前記計時手段により計測された表示時間に応じた長さの時間だけ、前記選択手段による前記データ放送による広告番組の非表示状態の選択を許可することを特徴とする請求項４記載のテレビ放送受信装置。
【請求項６】
デジタル信号を用いたデータ放送による番組を受信し表示可能なテレビ放送受信装置における広告番組の表示方法において、
前記番組の表示状態と非表示状態とを選択する選択ステップと、
前記番組が広告番組であるとき、前記選択ステップによる非表示状態の選択を禁止する禁止ステップと
を有することを特徴とする広告番組表示方法。